(57)【要約】【課題】カートリッジ本体内に収容されているディスク状情報媒体の種別を正確に特定させ得るディスクカートリッジを提供する。【解決手段】上シェル４および下シェル３を有するカートリッジ本体２内に光ディスク９（ディスク状情報媒体）を収容可能に構成されると共に、下シェル４における挿入方向（矢印Ｉの向き）に対して先端側の縁部にディスク種別特定用凹部１６が形成されて構成され、ディスク種別特定用凹部１６は、挿入方向に対して直交する向きの長さ（幅）、挿入方向の長さ、およびカートリッジ本体２の厚み方向の長さ（深さ）がそれぞれ光ディスク９の種別に対応する長さに形成されている。【選択図】図１
2007265500.tif 000002
【特許請求の範囲】
【請求項１】
第１シェルおよび第２シェルを有するカートリッジ本体内にディスク状情報媒体を収容可能に構成されると共に、前記両シェルの少なくとも一方における挿入方向に対して先端側の縁部に少なくとも１つの凹部が形成されて構成され、
前記凹部は、前記挿入方向に対して直交する向きの長さ、当該挿入方向の長さ、および前記カートリッジ本体の厚み方向の長さのうちの規定された２つ以上の長さがそれぞれ前記ディスク状情報媒体の種別に対応する長さに形成されているディスクカートリッジ。
【請求項２】
請求項１記載のディスクカートリッジに対して少なくとも前記ディスク状情報媒体に記録されている記録データの再生処理を実行可能に構成されると共に、前記凹部の前記規定された２以上の長さを検出する検出部と、当該検出部の検出結果に基づいて前記ディスク状情報媒体の前記種別を特定してその特定結果に応じて予め規定された手順に従って前記再生処理を実行する制御部とを備えている再生装置。
【発明の詳細な説明】
【技術分野】
【０００１】
本発明は、カートリッジ本体内にディスク状情報媒体が収容されたディスクカートリッジ、およびそのディスクカートリッジに対する再生処理を実行可能に構成された再生装置に関するものである。
【背景技術】
【０００２】
この種のディスクカートリッジとして、上ハーフおよび下ハーフを有するカートリッジ内に記録ディスク（ディスク状情報媒体）が収容されたディスクカートリッジが特開平５−２７８７７７号公報に開示されている。このディスクカートリッジには、カートリッジの挿入方向（記録再生装置や収容ケース等に対する挿入方向）に対して先端部側となる縁部にディスク種別識別用凹部（以下、「凹部」ともいう）が形成されている。この場合、このディスクカートリッジでは、カートリッジの厚み方向における凹部の深さが、記録ディスクの種別毎に予め規定された複数種類の深さのうちの所定の深さ（カートリッジ内に収容している記録ディスクの種別に対応する深さ）に形成されている。したがって、このディスクカートリッジを記録再生装置に装填した状態において凹部の深さを特定することにより、カートリッジ内の記録ディスクの種別を特定することが可能となっている。
【特許文献１】特開平５−２７８７７７号公報（第３−８頁、第２１図）
【発明の開示】
【発明が解決しようとする課題】
【０００３】
ところが、従来のディスクカートリッジには、以下の問題点がある。すなわち、従来のディスクカートリッジでは、記録ディスクの種別に対応する深さでカートリッジに凹部を形成することにより、凹部の深さに基づいてカートリッジ内の記録ディスクの種別を特定可能に構成されている。一方、今日では、ディスクカートリッジの用途の拡大に伴い、カートリッジ（カートリッジ本体）内に収容される記録ディスクの種別が多種多様となっている。具体的には、例えば、データ記録層の記録特性（「再生専用型」、「追記型」および「書換え型」等の各特性）と、データ記録層の層数（「単層型」および「多層型」）と、データ記録処理時における最大書き込み速度（例えば、「２倍速対応」および「２倍速非対応（等倍速のみ対応）」）とが相違する各種の種別のディスク状情報媒体がカートリッジ内に収容される。しかしながら、これら数多くの種別に対応して複数種類の深さで凹部を形成したとしても、各種別毎の凹部の深さの差異が非常に小さくなるため、凹部の深さの検出を誤り、ディスク状情報媒体の種別を実際とは相違する種別であると誤って特定するおそれがある。
【０００４】
本発明は、かかる問題点に鑑みてなされたものであり、カートリッジ本体内に収容されているディスク状情報媒体の種別を正確に特定させ得るディスクカートリッジ、およびディスク状情報媒体の種別を正確に特定し得る再生装置を提供することを主目的とする。
【課題を解決するための手段】
【０００５】
上記目的を達成すべく本発明に係るディスクカートリッジは、第１シェルおよび第２シェルを有するカートリッジ本体内にディスク状情報媒体を収容可能に構成されると共に、前記両シェルの少なくとも一方における挿入方向に対して先端側の縁部に少なくとも１つの凹部が形成されて構成され、前記凹部は、前記挿入方向に対して直交する向きの長さ、当該挿入方向の長さ、および前記カートリッジ本体の厚み方向の長さのうちの規定された２つ以上の長さがそれぞれ前記ディスク状情報媒体の種別に対応する長さに形成されている。
【０００６】
また、本発明に係る再生装置は、上記のディスクカートリッジに対して少なくとも前記ディスク状情報媒体に記録されている記録データの再生処理を実行可能に構成されると共に、前記凹部の前記規定された２以上の長さを検出する検出部と、当該検出部の検出結果に基づいて前記ディスク状情報媒体の前記種別を特定してその特定結果に応じて予め規定された手順に従って前記再生処理を実行する制御部とを備えている
【発明の効果】
【０００７】
本発明に係るディスクカートリッジによれば、第１シェルおよび第２シェルの少なくとも一方における挿入方向に対して先端側の縁部に、挿入方向に対して直交する向きの長さ、挿入方向の長さ、およびカートリッジ本体の厚み方向の長さのうちの規定された２つ以上の長さがそれぞれディスク状情報媒体の種別に対応する長さの凹部を少なくとも１つ形成したことにより、凹部の深さの相違のみに基づいて記録ディスク（ディスク状情報媒体）の種別を特定させる構成の従来のディスクカートリッジとは異なり、凹部の各長さのうちの規定された２つ以上の長さを光ディスクの各種別に関連付けて相違させることで、各種別毎の各長さの差異を明確に判別させることができる。したがって、凹部の各長さを誤って検出する事態を十分に回避することができる結果、カートリッジ本体内に収容されているディスク状情報媒体の種別を正確に特定させることができる。
【０００８】
また、本発明に係る再生装置によれば、上記の規定された２つ以上の長さを検出する検出部と、検出部の検出結果に基づいてディスク状情報媒体の種別を特定してその特定結果に応じて予め規定された手順に従って再生処理を実行する制御部とを備えたことにより、例えば、ディスク状情報媒体に記録されている種別情報を読み出してその種別を特定する構成の装置とは異なり、ディスク状情報媒体の種別に応じて各長さが相違するように凹部が形成された上記のディスクカートリッジが挿入されたときに、そのカートリッジ本体内のディスク状情報媒体の種別を迅速かつ正確に特定することができると共に、ディスク状情報媒体からの種別情報の読み出しを不要にできる分だけ、そのディスク状情報媒体に応じた記録処理や再生処理を迅速に開始することができる。
【発明を実施するための最良の形態】
【０００９】
以下、添付図面を参照して、本発明に係るディスクカートリッジおよび再生装置の最良の形態について説明する。
【００１０】
最初に、ディスクカートリッジ１の構成について、図面を参照して説明する。
【００１１】
図１〜３に示すディスクカートリッジ１は、各種記録データの記録および再生が可能に構成されたカートリッジ式の情報媒体であって、カートリッジ本体２、ディスクトレイ５、シャッタ部材６およびロック部材７などを備えてカートリッジ本体２内に光ディスク９が収納されて構成されている。この場合、光ディスク９は、一例として、片面仕様のディスク状情報媒体（ディスク状情報記録媒体）であって、その中心部には、記録再生装置にクランプさせるための直径１５ｍｍ程度の中心孔（図示せず）が形成されている。また、このディスクカートリッジ１のカートリッジ本体２内には、データ記録層の記録特性、データ記録層の層数、および最大書き込み速度等が相違する複数種類（複数の種別）の光ディスク９のうちのいずれかが収容される。
【００１２】
具体的には、例えば、データ記録層の記録特性の種類としては、「再生専用型」、「追記型」および「書換え型」３種類が存在し、データ記録層の層数の種類としては、「単層型」および「多層型（一例として、２層）」の２種類が存在し、最大書き込み速度の種類としては、「２倍速対応」および「２倍速非対応（等倍速のみ対応）」の２種類が存在する。したがって、光ディスク９の種別としては、例えば、「再生専用型の単層型」、「再生専用型の多層型」、「追記型で単相型の２倍速対応」、「追記型で単相型の２倍速非対応（等倍速のみ対応）」、「追記型で多層型の２倍速対応」、「追記型で多層型の２倍速非対応（等倍速のみ対応）」、「書換え型で単相型の２倍速対応」、「書換え型で単相型の２倍速非対応（等倍速のみ対応）」、「書換え型で多層型の２倍速対応」および「書換え型で多層型の２倍速非対応（等倍速のみ対応）」の１０の種別が存在する。一方、図１，２に示すように、カートリッジ本体２は、互いに嵌合可能に（重ね合わせが可能に）形成された下シェル３および上シェル４を備えている。
【００１３】
下シェル３は、本発明における第２シェルに相当し、図１〜３に示すように、一対の下シェル本体１１ａ，１１ｂを備えて、一例として、ポリカーボネート（または、ＡＢＳ樹脂等）を用いて射出成形されている。この下シェル３は、上シェル４に嵌合させた状態（上シェル４に重ね合わせて一体化させた状態）において、両下シェル本体１１ａ，１１ｂの間にディスクアクセス用の開口部１５が形成されるように構成されている。この場合、開口部１５は、記録データの記録再生時において、カートリッジ本体２内の光ディスク９に対するディスクアクセス（記録再生装置によるクランプや、光学ヘッドを介してのレーザービームの照射等）が可能となるようにその開口幅および開口長等が規定されている。
【００１４】
具体的には、図３に示すように、開口部１５は、下シェル３の一方の外縁部（同図における上側の縁部）から中心部を挟んで対向する他方の外縁部（同図における下側の縁部）に亘る帯状となるように形成されている。これにより、開口部１５は、カートリッジ本体２内に収容された状態の光ディスク９における中心孔の周囲を含む中心部領域を挟んで互いに対向する一対の外縁部領域間に亘る帯状の領域を露出可能な形状および大きさとなっている。この構成により、このディスクカートリッジ１では、２つの光学ヘッドを同時に用いて光ディスク９に対する記録データの記録および再生を行うことが可能となっている。また、両下シェル本体１１ａ，１１ｂの裏面側（カートリッジ本体２の内面側）には、シャッタ部材６のスリット（図示せず）に挿入されて、ディスクトレイ５の回動に伴ってシャッタ部材６をスライドさせるための回動用凸部（図示せず）がそれぞれ形成されている。
【００１５】
また、下シェル３の下シェル本体１１ｂにおける挿入方向（図１，３に示す矢印Ｉの向き：後述する記録再生装置１００等に対する挿入方向）に対して先端部側の縁部には、本発明における凹部に相当するディスク種別特定用凹部１６（以下、「凹部１６」ともいう）が形成されている。この場合、このディスクカートリッジ１では、挿入方向に対して直交する向きにおける凹部１６の長さ（幅）、凹部１６の形成位置、挿入方向の凹部１６の長さ、およびカートリッジ本体２の厚み方向の凹部１６の長さ（深さ）が前述した光ディスク９の種別に対応付けられて予め規定されると共に、カートリッジ本体２内に収容する光ディスク９の種別に応じて、その光ディスク９の種別に対応する長さの凹部１６がその下シェル３に形成されている。
【００１６】
具体的には、図４に示すように、光ディスク９が「書換え型」の場合には、例えば図７に示すディスクカートリッジ１Ｘにおける凹部１６ｘのように、挿入方向に対して直交する向きの幅が幅Ｗ１の凹部１６が形成される。また、光ディスク９が「追記型」の場合には、例えば図８に示すディスクカートリッジ１Ａにおける凹部１６ａのように、挿入方向に対して直交する向きの幅が上記の幅Ｗ１に対して１／２の幅である幅Ｗ２の凹部１６が形成される。この場合、上記の凹部１６ａは、ディスクカートリッジ１Ｘにおける凹部１６ｘの形成領域に対応する領域内の開口部１５側に位置するように形成されている。さらに、光ディスク９が「再生専用型」の場合には、例えば図９に示すディスクカートリッジ１Ｂにおける凹部１６ｂのように、挿入方向に対して直交する向きの幅が上記の幅Ｗ１に対して１／２の幅である幅Ｗ２の凹部１６が形成される。この場合、上記の凹部１６ｂは、ディスクカートリッジ１Ｘにおける凹部１６ｘの形成領域に対応する領域内の幅方向の外縁部側に位置するように形成されている。
【００１７】
また、図５に示すように、光ディスク９が「単層型」の場合には、例えば図７〜９に示すディスクカートリッジ１Ｘ，１Ａ，１Ｂにおける凹部１６ｘ，１６ａ，１６ｂのように、挿入方向の長さが長さＬ１の凹部１６が形成される。さらに、光ディスク９が「多層型」の場合には、例えば図１０〜１２に示すディスクカートリッジ１Ｃ〜１Ｅにおける凹部１６ｃ〜１６ｅのように、挿入方向の長さが上記の長さＬ１に対して１／２の長さである長さＬ２の凹部１６が形成される。また、図６に示すように、光ディスク９が「２倍速非対応（等倍速のみ対応）」である場合には、例えば図１３に示すディスクカートリッジ１Ｘにおける凹部１６ｘのようにカートリッジ本体２の厚み方向（同図にける上下方向）の深さが深さＤ１の凹部１６が形成される。
【００１８】
さらに、光ディスク９が「２倍速対応」である場合には、例えば図１４，１５に示すディスクカートリッジ１Ｆ，１Ｇにおける凹部１６ｆ，１６ｇのようにカートリッジ本体２の厚み方向の深さが上記の深さＤ１に対して１／２の深さの深さＤ２の凹部１６が形成される。なお、上記のディスクカートリッジ１Ａ〜１Ｅは、カートリッジ本体２内の光ディスク９が「２倍速非対応（等倍速のみ対応）」であって凹部１６ａ〜１６ｅの深さが深さＤ１であるものとする。また、上記のディスクカートリッジ１Ｆは、カートリッジ本体２内の光ディスク９が「書換え型の単相型」であって、凹部１６ｆの幅が幅Ｗ１で、長さが長さＬ１であるものとする。さらに、上記のディスクカートリッジ１Ｇは、カートリッジ本体２内の光ディスク９が「追記型の単相型」であって、凹部１６ｇの幅が幅Ｗ２で、形成位置が開口部１５側で、長さが長さＬ１であるものとする。
【００１９】
上シェル４は、本発明における第１シェルに相当し、一例として、透過性を有するポリカーボネートを用いて射出成形されている。この場合、上シェル４内面（カートリッジ本体２の内側）における中央部には、リング状の取付け部材によってクランピングプレートが取り付けられている（図示せず）。
【００２０】
ディスクトレイ５は、光ディスク９を載置可能な浅皿状に形成されると共に、下シェル３の開口部１５と同様の大きさ、同様の形状の開口部（図示せず）が形成されて、光ディスク９と共にカートリッジ本体２内に回動可能に収容されている。この場合、ディスクトレイ５の側板には、後述する記録再生装置１００におけるローディング機構１１０のシャッタ開閉機構が噛合可能な噛合用歯部（図示せず）が形成されている。さらに、ディスクトレイ５の側板には、光ディスク９に対するディスクアクセスを規制している状態（常態）においてロック部材７（図１，２参照）が係合してカートリッジ本体２に対する回動を規制するための切り欠きや、シャッタ開閉機構が係合してディスクトレイ５を回動させるための切り欠きなどが形成されている。また、ディスクトレイ５における底板の下面（光ディスク９が載置される側の面に対する裏面）には、シャッタ部材６を軸支するための支持軸（図示せず）が形成されている。この支持軸は、ディスクトレイ５の射出成形時において底板と一体的に成形されて、シャッタ部材６を回動可能に軸支する。
【００２１】
シャッタ部材６は、ディスクトレイ５の支持軸を挿通可能な軸受孔（図示せず）と、下シェル３の回動用凸部を挿通可能なスリット（図示せず）とが形成されて、全体として平板状に形成されている。このシャッタ部材６は、支持軸が軸受孔に挿通されてディスクトレイ５に対して回動可能に軸支された状態で、下シェル３とディスクトレイ５との間に挟み込まれてカートリッジ本体２内に収容されている。
【００２２】
次に、ディスクカートリッジ１に対する記録データの記録再生が可能に構成された記録再生装置１００について、図面を参照して説明する。
【００２３】
図１６に示す記録再生装置１００は、本発明に係る再生装置に相当し、ローディング機構１１０、種別検出部１２０、記録再生部１３０、回転機構１４０、制御部１５０および記憶部１６０を備えている。ローディング機構１１０は、前述したシャッタ開閉機構を備え、記録再生装置１００のカートリッジ挿入口（図示せず）にディスクカートリッジ１が挿入されたときに、ディスクカートリッジ１を装置本体内の記録再生位置に向けて移動させつつ、カートリッジ本体２に対してディスクトレイ５を回転させることでディスクトレイ５およびシャッタ部材６，６による開口部１５の閉塞を解除する（開口部１５を開口する）。また、ローディング機構１１０は、ディスクカートリッジ１の排出時において、ディスクカートリッジ１を記録再生位置から挿入口に向けて移動させつつ、カートリッジ本体２に対してディスクトレイ５を回転させることでディスクトレイ５およびシャッタ部材６，６によって開口部１５を閉塞させる。
【００２４】
種別検出部１２０は、本発明における検出部に相当し、図１７，１８に示すように、爪部１２１ａ，１２１ｂと、距離センサ１２２ａ〜１２２ｄとを備えて上記のローディング機構１１０に取り付けられている。爪部１２１ａ，１２１ｂ（以下、区別しないときには「爪部１２１」ともいう）は、ディスクカートリッジ１に形成された凹部１６の長さＬおよび幅Ｗを検出するためのものであって、記録再生装置１００に対するディスクカートリッジ１の挿入時において、ローディング機構１１０によってディスクカートリッジ１が矢印Ｉの向き（挿入方向）で移動させられたときに、例えば、凹部１６の挿入方向に対する手前側の縁部に係合可能に金属板等で断面Ｌ字状に折り曲げて形成されている。また、爪部１２１は、凹部１６の縁部に係合した状態においてディスクカートリッジ１が矢印Ｉの向きでさらに移動させられたときに、ディスクカートリッジ１と共に矢印Ｉの方向へスライド可能に配設されている。
【００２５】
距離センサ１２２ａ〜１２２ｄ（以下区別しないときには「距離センサ１２２ともいう」）は、凹部１６の深さＤを検出すると共に、両爪部１２１のスライド量を検出するためのセンサであって、一例として、ディスクカートリッジ１に向けて距離測定用の光を射出する光源と、凹部１６の底面等で反射された光を受光する受光素子（いずれも図示せず）とを備えて構成されている。また、距離センサ１２２は、上記の光（凹部１６の底面等で反射された光）の受光量等を特定可能なセンサ信号Ｓ１を制御部１５０に出力する。この場合、この種別検出部１２０では、ディスクカートリッジ１の挿入方向に対する奥側に距離センサ１２２ａ，１２２ｃが配置され、挿入方向に対する手前側に距離センサ１２２ｂ，１２２ｄが配置されている。また、この種別検出部１２０では、記録再生位置に搬送された状態のディスクカートリッジ１における幅方向の中央部側（開口部１５側）に距離センサ１２２ａ，１２２ｂが配置され、幅方向の外縁部側に距離センサ１２２ｃ，１２２ｄが配置されている。
【００２６】
記録再生部１３０は、制御部１５０の制御に従い、ディスクカートリッジ１内の光ディスク９に対する記録データの記録（記録データの書き込み）、および光ディスク９に記録されている記録データの再生（記録データの読み出し）を実行する。回転機構１４０は、制御部１５０の制御に従い、一例として、光ディスク９を線速度一定で回転させる。制御部１５０は、記録再生装置１００を総括的に制御する。具体的には、制御部１５０は、種別検出部１２０から出力されたセンサ信号Ｓ１（本発明における検出結果の一例）に基づいて、記録再生装置１００に挿入されたディスクカートリッジ１における光ディスク９の種別を特定する処理を実行する。また、制御部１５０は、その特定結果に基づき、回転機構１４０に制御信号Ｓ２を出力することで所定の回転速度で光ディスク９を回転させると共に記録再生部１３０に制御信号Ｓ３を出力することでレーザービームの照射パワーや照射位置等を調整させて記録データの書き込み（記録処理）や記録データの読み出し（再生処理）を実行させる。記憶部１６０は、制御部１５０の動作プログラムや、光ディスク９の種別についての種別情報Ｄａおよび各種別毎の制御情報Ｄｂ（本発明における「予め規定された手順」を特定可能な情報）などを記憶する。
【００２７】
次いで、ディスクカートリッジ１の使用方法について、図面を参照して説明する。
【００２８】
ディスクカートリッジ１に対する記録データの記録や再生に際しては、記録再生装置１００の挿入口（図示せず）にディスクカートリッジ１を挿入する。この際に、挿入されたディスクカートリッジ１は、ローディング機構１１０によって装置内部に引き込まれて記録再生位置に搬送される。この際に、ローディング機構１１０のシャッタ開閉機構によってディスクトレイ５が回動させられるのに伴い、シャッタ部材６がディスクトレイ５に対して回動させられる。これにより、開口部１５が開口されてカートリッジ本体２内の光ディスク９に対するディスクアクセスが許容される。
【００２９】
また、ローディング機構１１０によるディスクカートリッジ１の搬送時（一例として、記録再生位置に到達した直後）に、種別検出部１２０によって凹部１６の形状に応じたセンサ信号Ｓ１が制御部１５０に出力される。具体的には、図１９に示すように、例えばディスクカートリッジ１Ａが記録再生装置１００に挿入されてローディング機構１１０によって矢印Ｉの向きに移動させられたときには、まず、爪部１２１ｂが下シェル３（下シェル本体１１ｂ）の挿入方向に対する先端部側の縁部（同図の矢印Ｐ１の部位）に係合してディスクカートリッジ１と共に矢印Ｉの向きにスライドさせられる。次いで、ディスクカートリッジ１が矢印Ｉの向きでさらに移動させられたときには、爪部１２１ａが凹部１６ａにおける挿入方向に対して手前側の縁部（同図の矢印Ｐ２の部位）に係合してディスクカートリッジ１と共に矢印Ｉの向きにスライドさせられる。
【００３０】
この場合、ディスクカートリッジ１Ａが記録再生位置まで搬送された状態においては、図２０に示すように、爪部１２１ａが矢印Ｐ２の部位に係合し、かつ、爪部１２１ｂが矢印Ｐ１の部位に係合した状態となる。したがって、距離センサ１２２ｃ，１２２ｄでは、光源から射出した光が金属製の爪部１２１ｂによって反射されるため、受光素子による受光量が多くなる。これに対して、距離センサ１２２ａ，１２２ｂでは、爪部１２１ａによって光が反射されることなく凹部１６ａの底面によって光が反射されることとなるため、距離センサ１２２ｃ，１２２ｄよりも受光量が少なくなる。この場合、距離センサ１２２の下方に存在する凹部１６の深さＤがディスクカートリッジ１Ｘにおける凹部１６ｘ（図１３参照）と等しい深さＤ１のときには、例えばディスクカートリッジ１Ｆ，１Ｇにおける凹部１６ｆ，１６ｇ（図１４，１５参照）のように深さＤ２であるときと比較して、距離センサ１２２による受光量が少なくなる。つまり、距離センサ１２２の下方に爪部１２１が存在するときの受光量を受光量Ｚ１とした場合、距離センサ１２２の下方に深さＤ２の凹部１６が存在するときの受光量Ｚ２は、受光量Ｚ１よりも少なく、距離センサ１２２の下方に深さＤ１の凹部１６が存在するときの受光量Ｚ３は、受光量Ｚ１，Ｚ２のいずれに対しても少なくなる。したがって、種別検出部１２０は、距離センサ１２２ａ，１２２ｂによる受光量が上記の受光量Ｚ３で、距離センサ１２２ｂ，１２２ｄによる受光量が上記の受光量Ｚ１である旨を特定可能なセンサ信号Ｓ１を制御部１５０に出力する。
【００３１】
次いで、制御部１５０は、種別検出部１２０からのセンサ信号Ｓ１と、記憶部１６０に記憶されている種別情報Ｄａとに基づき、挿入されたディスクカートリッジ１における光ディスク９の種別を特定する処理を実行する。具体的には、制御部１５０は、距離センサ１２２ａ，１２２ｂによる受光量が上記の受光量Ｚ３であるとのセンサ信号Ｓ１に基づき、爪部１２１ａが矢印Ｐ２の部位に係合し、かつ、距離センサ１２２ａ，１２２ｂの下方に深さＤ１の凹部１６が存在する旨を特定する。また、制御部１５０は、距離センサ１２２ｃ，１２２ｄによる受光量が上記の受光量Ｚ１であるとのセンサ信号Ｓ１に基づき、爪部１２１ｂが矢印Ｐ１の部位に係合している旨を特定する。したがって、制御部１５０は、このセンサ信号Ｓ１に基づき、凹部１６の長さ、幅および深さが、それぞれ長さＬ１、幅Ｗ２および深さＤ１で、その形成位置が開口部１５側である旨を特定する。次いで、この特定結果と種別情報Ｄａとに基づき、記録再生装置１００内に挿入されたディスクカートリッジ１が凹部１６ａを有するディスクカートリッジ１Ａ（「追記型」、「単層型」かつ「２倍速非対応（等倍速のみ対応）」の光ディスク９を有するディスクカートリッジ１）である旨を特定する。
【００３２】
この場合、上記のディスクカートリッジ１Ａに代えてディスクカートリッジ１Ｂを記録再生装置１００に挿入した状態においては、図２１に示すように、爪部１２１ａが矢印Ｐ３の部位に係合することによって距離センサ１２２ａ，１２２ｂによる受光量が受光量Ｚ１になると共に、爪部１２１ｂが矢印Ｐ４の部位に係合することによって距離センサ１２２ｃ，１２２ｄによる受光量が受光量Ｚ３になる。したがって、この際には、制御部１５０は、種別検出部１２０から出力されるセンサ信号Ｓ１に基づき、凹部１６の長さ、幅および深さが、それぞれ長さＬ１、幅Ｗ２および深さＤ１で、その形成位置が外縁部側である旨を特定する。この際には、この特定結果と種別情報Ｄａとに基づき、記録再生装置１００内に挿入されたディスクカートリッジ１が凹部１６ｂを有するディスクカートリッジ１Ｂ（「再生専用型」、「単層型」かつ「２倍速非対応（等倍速のみ対応）」の光ディスク９を有するディスクカートリッジ１）である旨を特定する。
【００３３】
また、ディスクカートリッジ１Ａに代えて前述したディスクカートリッジ１Ｃを記録再生装置１００に挿入した状態においては（図示せず）、距離センサ１２２ｂ，１２２ｄによる受光量が受光量Ｚ１になると共に、距離センサ１２２ａ，１２２ｃによる受光量が受光量Ｚ３になる。したがって、この際には、制御部１５０は、種別検出部１２０から出力されるセンサ信号Ｓ１に基づき、凹部１６の長さ、幅および深さが、それぞれ長さＬ２、幅Ｗ１および深さＤ１である旨を特定し、この特定結果と種別情報Ｄａとに基づき、記録再生装置１００内に挿入されたディスクカートリッジ１が凹部１６ｃを有するディスクカートリッジ１Ｃ（「書換え型」、「多層型」かつ「２倍速非対応（等倍速のみ対応）」の光ディスク９を有するディスクカートリッジ１）である旨を特定する。
【００３４】
さらに、ディスクカートリッジ１Ａに代えて前述したディスクカートリッジ１Ｆを記録再生装置１００に挿入した状態においては（図示せず）、距離センサ１２２ａ〜１２２ｄのすべての受光量が受光量Ｚ２となる。したがって、この際には、制御部１５０は、種別検出部１２０から出力されるセンサ信号Ｓ１に基づき、凹部１６の長さ、幅および深さが、それぞれ長さＬ１、幅Ｗ１および深さＤ２である旨を特定し、この特定結果と種別情報Ｄａとに基づき、記録再生装置１００内に挿入されたディスクカートリッジ１が凹部１６ｆを有するディスクカートリッジ１Ｆ（「書換え型」、「単相型」かつ「２倍速対応」の光ディスク９を有するディスクカートリッジ１）である旨を特定する。
【００３５】
続いて、制御部１５０は、上記の特定処理による特定結果と、記憶部１６０に記憶されている制御情報Ｄｂとに基づき、光ディスク９の種別に応じた制御信号Ｓ２，Ｓ３を記録再生部１３０および回転機構１４０に出力することによって、記録データの記録処理、または記録データの再生処理を実行する。具体的には、特定処理時において例えばディスクカートリッジ１Ａが挿入されていると特定したときには、記録処理時において、等倍速の回転速度で光ディスク９を回転させる旨の制御信号Ｓ２を回転機構１４０に出力すると共に、追記型で単相型の光ディスク９に対する照射パワーでレーザービームを照射させる旨の制御信号Ｓ３を記録再生部１３０に出力する。これにより、回転機構１４０によって光ディスク９が所定の回転速度で回転させられると共に、記録再生部１３０による記録データの書き込みが実行される。
【００３６】
また、特定処理時において例えばディスクカートリッジ１Ｂが挿入されていると特定したときには、再生処理時において、例えば最大回転速度で光ディスク９を回転させる旨の制御信号Ｓ２を回転機構１４０に出力すると共に、再生専用型で単相型の光ディスク９に対する照射パワーでレーザービームを照射させる旨の制御信号Ｓ３を記録再生部１３０に出力する。これにより、回転機構１４０によって光ディスク９が所定の回転速度で回転させられると共に、記録再生部１３０による記録データの読み出しが実行される。
【００３７】
このように、このディスクカートリッジ１によれば、下シェル３および上シェル４の少なくとも一方（この例では、下シェル３）における挿入方向に対して先端側の縁部に、挿入方向に対して直交する向きの長さ（幅Ｗ）、挿入方向の長さ（長さＬ）、およびカートリッジ本体２の厚み方向の長さ（深さＤ）のうちの規定された２つ以上の長さ（この例では、すべての長さ）が光ディスク９の種別に対応して規定された長さのディスク種別特定用凹部１６を少なくとも１つ形成したことにより、凹部の深さの相違のみに基づいて記録ディスク（ディスク状情報媒体）の種別を特定させる構成の従来のディスクカートリッジとは異なり、凹部１６の各長さ（幅Ｗ、長さＬおよび深さＤ）のうちの規定された２つ以上（この例では、３つ）の長さを光ディスク９の各種別に関連付けて相違させることで、各種別毎の各長さの差異を明確に判別させることができる。したがって、凹部１６の各長さを誤って検出する事態を十分に回避することができる結果、カートリッジ本体２内に収容されている光ディスク９の種別を正確に特定させることができる。
【００３８】
また、この記録再生装置１００によれば、ディスク種別特定用凹部１６の各長さのうちの規定された２つ以上（この例では、３つ）の長さ（幅Ｗ、長さＬおよび深さＤ）を検出する種別検出部１２０と、種別検出部１２０の検出結果に基づいて光ディスク９の種別を特定してその特定結果に応じて予め規定された手順に従って再生処理を実行する制御部１５０とを備えたことにより、例えば、ディスク状情報媒体に記録されている種別情報を読み出してその種別を特定する構成の装置とは異なり、光ディスク９の種別に応じて各長さが相違するように凹部１６が形成された上記のディスクカートリッジ１が挿入されたときに、そのカートリッジ本体２内の光ディスク９の種別を迅速かつ正確に特定することができると共に、ディスク状情報媒体からの種別情報の読み出しを不要にできる分だけ、その光ディスク９に応じた記録処理や再生処理を迅速に開始することができる。
【００３９】
なお、本発明は、上記した構成に限定されない。例えば、凹部１６の幅Ｗ（挿入方向に対して直交する向きの長さ）、長さＬ（挿入方向の長さ）および深さＤ（カートリッジ本体２の厚み方向の長さ）のすべてを光ディスク９の種別に対応させて異ならせる構成を例に挙げて説明したが、幅Ｗ、長さＬおよび深さＤの３つのうちの任意の２つを光ディスク９の種別に対応させて異ならせる構成を採用することができる。この構成を採用した場合においても、凹部の深さの相違のみに基づいて記録ディスク（ディスク状情報媒体）の種別を特定させる構成の従来のディスクカートリッジとは異なり、光ディスク９の各種別毎の各長さの差異を明確に判別させることができる。したがって、凹部１６の各長さを誤って検出する事態を十分に回避することができる結果、カートリッジ本体２内に収容されている光ディスク９の種別を正確に特定させることができる。
【００４０】
また、下シェル３の下シェル本体１１ｂに凹部１６を形成した例について説明したが、本発明はこれに限定されず、下シェル本体１１ｂに代えて下シェル本体１１ａに凹部１６を形成する構成や、下シェル本体１１ａ，１１ｂの双方に凹部１６をそれぞれ形成する構成を採用することもできる。また、下シェル３に代えて上シェル４に凹部１６を形成する構成や、下シェル３および上シェル４の双方に凹部１６をそれぞれ形成する構成を採用することもできる。この場合、１つのカートリッジ本体２に形成する凹部１６の数を２つ以上に規定することにより、上記の例よりも光ディスク９の種別数がさらに多数である場合においても、各種別毎の幅Ｗの相違量、長さＬの相違量、および深さＤの相違量を十分に大きく設定することができるため、カートリッジ本体２内に収容されている光ディスク９の種別を正確に特定することが可能なディスクカートリッジ１を提供することができる。
【００４１】
さらに、カートリッジ本体２における開口部１５側において幅Ｗ２で形成した凹部１６ａ、およびカートリッジ本体２における外縁部側において幅Ｗ２で形成した凹部１６ｂのように、幅、長さおよび深さが同一であって形成位置が相違する２種類の凹部１６について説明したが、本発明はこれに限定されない。例えば、図２２に示すディスクカートリッジ１Ｈのように、凹部１６ｘにおける幅方向の中央部に対応する部位に幅Ｗ２の凹部１６ｈを形成することもできる。
【００４２】
また、本発明におけるディスク状情報媒体としては、上記した光ディスク９に限定されず、光磁気ディスクや磁気ディスクもこれに含まれる。さらに、上記したディスクカートリッジ１では、別個独立した下シェル本体１１ａ，１１ｂを有する下シェル３を備えてカートリッジ本体２が構成されているが、本発明はこれに限定されず、例えば、図２３に示すディスクカートリッジ１Ｉのように、ディスクカートリッジ１における下シェル３に代えて、連結部１１ｃ，１１ｄによって下シェル本体１１ａ，１１ｂを一体的に連結した下シェル３Ａを採用してカートリッジ本体２Ａを構成することもできる。
【００４３】
また、ディスクアクセス用の開口部の開口形状は、上記の例のようにカートリッジ本体２の前後方向に長い長方形形状の開口形状に限定されるものではなく、カートリッジ本体の左右方向に長い長方形形状の開口形状や、方形形状のカートリッジ本体における対角線方向に長い長方形形状の開口形状であってもよい（図示せず）。さらに、本発明に係るディスクカートリッジとしては、２つの光学ヘッドを同時に用いた記録再生が可能なタイプに限定されず、単一の光学ヘッドを用いた記録再生が可能な開口部を下シェル３に形成したタイプのディスクカートリッジが含まれる（図示せず）。
【図面の簡単な説明】
【００４４】
【図１】ディスクカートリッジ１の外観斜視図である。
【図２】ディスクカートリッジ１の正面図である。
【図３】下シェル３側から見たディスクカートリッジ１の平面図である。
【図４】凹部１６の幅と光ディスク９のディスク種別との関係について説明するための説明図である。
【図５】凹部１６の長さと光ディスク９のディスク種別との関係について説明するための説明図である。
【図６】凹部１６の深さと光ディスク９のディスク種別との関係について説明するための説明図である。
【図７】ディスクカートリッジ１Ｘにおける凹部１６ｘ近傍の平面図である。
【図８】ディスクカートリッジ１Ａにおける凹部１６ａ近傍の平面図である。
【図９】ディスクカートリッジ１Ｂにおける凹部１６ｂ近傍の平面図である。
【図１０】ディスクカートリッジ１Ｃにおける凹部１６ｃ近傍の平面図である。
【図１１】ディスクカートリッジ１Ｄにおける凹部１６ｄ近傍の平面図である。
【図１２】ディスクカートリッジ１Ｅにおける凹部１６ｅ近傍の平面図である。
【図１３】ディスクカートリッジ１Ｘにおける凹部１６ｘ近傍の正面図である。
【図１４】ディスクカートリッジ１Ｆにおける凹部１６ｆ近傍の正面図である。
【図１５】ディスクカートリッジ１Ｇにおける凹部１６ｇ近傍の正面図である。
【図１６】記録再生装置１００の構成を示すブロック図である。
【図１７】種別検出部１２０における爪部１２１ａ，１２１ｂおよび距離センサ１２２ａ，１２２ｂ、並びにディスクカートリッジ１における凹部１６近傍の平面図である。
【図１８】種別検出部１２０における爪部１２１ａ，１２１ｂおよび距離センサ１２２ａ，１２２ｂ、並びにディスクカートリッジ１における凹部１６近傍の断面図である。
【図１９】種別検出部１２０における爪部１２１ａ，１２１ｂ、およびディスクカートリッジ１Ａにおける凹部１６ａ近傍の平面図である。
【図２０】種別検出部１２０における爪部１２１ａ，１２１ｂおよび距離センサ１２２ａ〜１２２ｄ、並びにディスクカートリッジ１Ａにおける凹部１６ａ近傍の他の平面図である。
【図２１】種別検出部１２０における爪部１２１ａ，１２１ｂおよび距離センサ１２２ａ〜１２２ｄ、並びにディスクカートリッジ１Ｂにおける凹部１６ｂ近傍の平面図である。
【図２２】ディスクカートリッジ１Ｈにおける凹部１６ｈ近傍の正面図である。
【図２３】ディスクカートリッジ１Ｉの外観斜視図である。
【符号の説明】
【００４５】
１，１Ａ〜１Ｉ，１Ｘ  ディスクカートリッジ
２，２Ａ  カートリッジ本体
３，３Ａ  下シェル
４  上シェル
９  光ディスク
１１ａ，１１ｂ  下シェル本体
１１ｃ，１１ｄ  連結部
１６，１６ａ〜１６ｈ，１６ｘ  ディスク種別特定用凹部
１００  記録再生装置
１１０  ローディング機構
１２０  種別検出部
１２１ａ，１２１ｂ  爪部
１２２ａ〜１２２ｄ  距離センサ
１３０  記録再生部
１４０  回転機構
１５０  制御部
１６０  記憶部
Ｄ１，Ｄ２  深さ
Ｄａ  種別情報
Ｄｂ  制御情報
Ｌ１，Ｌ２  長さ
Ｓ１  センサ信号
Ｓ２，Ｓ３  制御信号
Ｗ１，Ｗ２  幅
【図１】
2007265500.tif 000003
【図２】
2007265500.tif 000004
【図３】
2007265500.tif 000005
【図４】
2007265500.tif 000006
【図５】
2007265500.tif 000007
【図６】
2007265500.tif 000008
【図７】
2007265500.tif 000009
【図８】
2007265500.tif 000010
【図９】
2007265500.tif 000011
【図１０】
2007265500.tif 000012
【図１１】
2007265500.tif 000013
【図１２】
2007265500.tif 000014
【図１３】
2007265500.tif 000015
【図１４】
2007265500.tif 000016
【図１５】
2007265500.tif 000017
【図１６】
2007265500.tif 000018
【図１７】
2007265500.tif 000019
【図１８】
2007265500.tif 000020
【図１９】
2007265500.tif 000021
【図２０】
2007265500.tif 000022
【図２１】
2007265500.tif 000023
【図２２】
2007265500.tif 000024
【図２３】
2007265500.tif 000025